【手続補正書】
【提出日】平成30年3月2日(2018.3.2)
【手続補正１】
【補正対象書類名】特許請求の範囲
【補正対象項目名】全文
【補正方法】変更
【補正の内容】
【特許請求の範囲】
【請求項１】
アミューズメントライド用の滑走機構であって、当該滑走機構上を滑走する乗り手又は乗り物を運ぶように適合させられており、当該滑走機構は、
前記乗り手又は乗り物が入ることを可能にする、インラン、
前記乗り手又は乗り物が出ることを可能にする、アウトラン、
前記インラン及び前記アウトランと通じている滑走面であり、該滑走面は、実質的に閉曲線のセクタの形状の面を有する、滑走面、並びに
前記インランから前記アウトランに延びる、外側リップ、
を有し、
当該滑走機構は、前記乗り手又は乗り物が、少なくとも部分的に重力によって付勢され、少なくとも部分的に前記外側リップによって境界を定められる弓状経路を、前記滑走面に沿って前記インランから前記アウトランに滑走することを提供する、
滑走機構。
【請求項２】
前記滑走面は実質的に平面的である、請求項１に記載の滑走機構。
【請求項３】
前記滑走面は、ピッチ軸の回りの一つのピッチ角に方向付けられており、前記ピッチ角は水平面に対して測定され、
前記滑走面は、ロール軸の回りの一つのロール角に方向付けられており、前記ロール角は前記水平面に対して測定され、
前記ピッチ軸及び前記ロール軸は互いに垂直であり、
前記ピッチ角及び前記ロール角の少なくとも一つは、ゼロでない、
請求項１に記載の滑走機構。
【請求項４】
前記ピッチ角及び前記ロール角は、前記乗り手又は乗り物の高度が前記弓状経路の第一の部分に沿って上昇し、前記弓状経路の第二の部分に沿って低下するように選択される、請求項３に記載の滑走機構。
【請求項５】
前記ピッチ角及び前記ロール角のそれぞれは、４５°より小さい、請求項４に記載の滑走機構。
【請求項６】
前記ピッチ角及び前記ロール角の少なくとも一つは、１１．２５°である、請求項４に記載の滑走機構。
【請求項７】
前記ピッチ角及び前記ロール角のそれぞれは、１５°と１８°との間である、請求項４に記載の滑走機構。
【請求項８】
前記ロール角は１１．２５°であり、前記ピッチ角は２２．５°である、請求項４に記載の滑走機構。
【請求項９】
当該滑走機構の直径は、１５フィート（約４．５７２ｍ）と２５フィート（約７．６２ｍ）との間である、請求項１に記載の滑走機構。
【請求項１０】
当該滑走機構の半径は、前記インランから前記アウトランに向かって連続的に減少する、請求項１に記載の滑走機構。
【請求項１１】
前記アウトランにおける当該滑走機構の半径は、前記インランにおける当該滑走機構の半径の７５％である、請求項１０に記載の滑走機構。
【請求項１２】
当該滑走機構の半径は、前記インランから前記アウトランまで一定である、請求項１に記載の滑走機構。
【請求項１３】
前記滑走面は覆われていない、請求項１に記載の滑走機構。
【請求項１４】
前記滑走面の上に覆いを更に有する、請求項１に記載の滑走機構。
【請求項１５】
前記覆いは、半球状又はドーム状の形状の少なくとも一つを有する、請求項１４に記載の滑走機構。
【請求項１６】
当該滑走機構は乗り物を運ぶように適合させられており、前記乗り物は、一人の人間を座らせるための浮き台又は二人の人間を一列に並んだ構成で座らせるための浮き台を有する、請求項１に記載の滑走機構。
【請求項１７】
前記インランの形状及び前記アウトランの形状は、円形状又は半円形状の断面を有するウォータースライドシュートに連結するようにそれぞれ適合させられている、請求項１に記載の滑走機構。
【請求項１８】
前記滑走面は、前記乗り手の経路を案内するための溝を有する、請求項１に記載の滑走機構。
【請求項１９】
前記滑走面は、凹凸のある面を備えた柔軟な材料を有する、請求項１に記載の滑走機構。
【請求項２０】
前記外側リップは、実質的に平らな、前記滑走面に対して垂直な断面を有する、請求項１に記載の滑走機構。
【請求項２１】
前記外側リップは湾曲した断面を有する、請求項１に記載の滑走機構。
【請求項２２】
前記滑走面の縁は、前記外側リップへの滑らかな移行を提供するように湾曲している、請求項２１に記載の滑走機構。
【請求項２３】
前記滑走面の縁は、前記外側リップに合うように角度が付けられている、請求項１に記載の滑走機構。
【請求項２４】
前記滑走面の前記縁は、前記滑走面の中心部に対して１０°と４５°との間の角度に角度が付けられている、請求項２３に記載の滑走機構。
【請求項２５】
請求項１に記載の滑走機構を有する、ウォータースライド。
【請求項２６】
前記滑走機構を支持する支持構造を更に有し、
前記支持構造は、前記滑走機構に対して動的に動きを与えるように構成されている、
請求項２５に記載のウォータースライド。
【請求項２７】
アミューズメントライド用の滑走機構であって、当該滑走機構上を滑走する乗り手又は乗り物を運ぶように適合させられており、当該滑走機構は、
前記乗り手又は乗り物が入ることを可能にする、インラン、
前記乗り手又は乗り物が出ることを可能にする、アウトラン、
前記インラン及び前記アウトランと通じている滑走面であり、該滑走面は実質的に平面的である、滑走面、並びに
前記インランから前記アウトランに延びる、外側リップ、
を有し、
当該滑走機構は、前記乗り手又は乗り物が、少なくとも部分的に重力によって付勢され、少なくとも部分的に前記外側リップによって境界を定められる弓状経路を、前記滑走面に沿って前記インランから前記アウトランに滑走することを提供し、
前記滑走面は、前記乗り手又は乗り物の高度が前記弓状経路の第一の部分に沿って上昇し、前記弓状経路の第二の部分に沿って低下するように方向付けられている、
滑走機構。
【請求項２８】
前記滑走面は、ピッチ軸の回りの一つのピッチ角に方向付けられており、前記ピッチ角は水平面に対して測定され、
前記滑走面は、ロール軸の回りの一つのロール角に方向付けられており、前記ロール角は前記水平面に対して測定され、
前記ピッチ軸及び前記ロール軸は互いに垂直であり、
前記ピッチ角及び前記ロール角の両方は、ゼロでない、
請求項２７に記載の滑走機構。
【請求項２９】
請求項２７に記載の滑走機構を有する、ウォータースライド。
【請求項３０】
アミューズメントライド用の滑走機構であって、当該滑走機構上を滑走する乗り手又は乗り物を運ぶように適合させられており、当該滑走機構は、
前記乗り手又は乗り物が入ることを可能にする、インラン、
前記乗り手又は乗り物が出ることを可能にする、アウトラン、
前記インラン及び前記アウトランと通じている滑走面であり、該滑走面は、実質的に円形状又は実質的に楕円形状の面を有する、滑走面、並びに
前記インランから前記アウトランに延びる、外側リップ、
を有し、
当該滑走機構は、前記乗り手又は乗り物が、少なくとも部分的に重力によって付勢され、少なくとも部分的に前記外側リップによって境界を定められる弓状経路を、前記滑走面に沿って前記インランから前記アウトランに滑走することを提供する、
滑走機構。
【請求項３１】
アミューズメントライド用の滑走機構であって、当該滑走機構上を滑走する乗り手又は乗り物を運ぶように適合させられており、当該滑走機構は、
前記乗り手又は乗り物が入ることを可能にする、インラン、
前記乗り手又は乗り物が出ることを可能にする、アウトラン、及び
前記インラン及び前記アウトランと通じている滑走面、
を有し、
前記滑走面の半径は、前記滑走面の少なくとも一部分に沿って減少し、前記部分は、前記滑走面が前記インランに合流する場所から始まり、
当該滑走機構は、ロール軸の回りの一つのロール角に方向付けられており、
前記ロール角は、水平面に対して測定される場合に、ゼロでない、
滑走機構。
【請求項３２】
前記インランから前記アウトランに延びる、外側リップを更に有し、
前記外側リップは、前記乗り手又は乗り物が前記インランから前記アウトランに移動するときに、弓状経路に沿って前記乗り手又は乗り物を案内する、
請求項３１に記載の滑走機構。
【請求項３３】
前記弓状経路は、実質的に円弧である、請求項３２に記載の滑走機構。
【請求項３４】
前記弓状経路は、約１８０度の弧である、請求項３２に記載の滑走機構。
【請求項３５】
前記滑走面が前記アウトランに合流する場所の前記滑走面の半径は、前記滑走面が前記インランに合流する場所の前記滑走面の半径と等しいか又はより大きい、請求項３１に記載の滑走機構。
【請求項３６】
前記滑走面が前記アウトランに合流する場所の前記滑走面の半径は、前記滑走面が前記インランに合流する場所の前記滑走面の半径よりも小さい、請求項３１に記載の滑走機構。
【請求項３７】
前記滑走面が前記アウトランに合流する場所の前記滑走面の半径は、前記滑走面が前記インランに合流する場所の前記滑走面の半径の約７５％である、請求項３６に記載の滑走機構。
【請求項３８】
前記滑走面の半径は、前記滑走面の前記部分に沿って約３０フィート（約９．１４４ｍ）から約１５フィート（約４．５７２ｍ）に移行する、請求項３１に記載の滑走機構。
【請求項３９】
前記滑走面の半径は、前記滑走面の前記部分に沿って連続的に減少する、請求項３１に記載の滑走機構。
【請求項４０】
前記滑走面の前記部分は第一の部分であり、
前記滑走面の半径は、前記滑走面の少なくとも第二の部分に沿って増大する、
請求項３１に記載の滑走機構。
【請求項４１】
前記滑走面の半径は、前記滑走面の前記第二の部分に沿って連続的に増大する、請求項４０に記載の滑走機構。
【請求項４２】
前記滑走面の半径は、前記滑走面の前記第二の部分に沿って約１５フィート（約４．５７２ｍ）から約３０フィート（約９．１４４ｍ）に移行する、請求項４０に記載の滑走機構。
【請求項４３】
前記ロール角は、４５°よりも小さい、請求項３１に記載の滑走機構。
【請求項４４】
前記ロール角は、約１１．２５°である、請求項３１に記載の滑走機構。
【請求項４５】
前記ロール角は、１５°と１８°との間である、請求項３１に記載の滑走機構。
【請求項４６】
前記滑走面は、ピッチ軸の回りの一つのピッチ角に方向付けられており、
前記ピッチ角は、水平面に対して測定される場合に、ゼロでなく、
前記ピッチ軸及び前記ロール軸は互いに垂直である、
請求項３１に記載の滑走機構。
【請求項４７】
前記インランから前記アウトランに延びる、外側リップを更に有し、
前記外側リップは、弓状経路に沿って前記インランから前記アウトランに向かって前記乗り手又は乗り物を案内し、
前記ピッチ角及び前記ロール角は、前記乗り手又は乗り物が前記弓状経路の第一の区分に沿って移動するときに前記乗り手又は乗り物の高度が上昇し、前記乗り手又は乗り物が前記弓状経路の第二の区分に沿って移動するときに前記乗り手又は乗り物の高度が低下する、ように構成されている、
請求項４６に記載の滑走機構。
【請求項４８】
前記ピッチ角及び前記ロール角のそれぞれは、４５°より小さい、請求項４６に記載の滑走機構。
【請求項４９】
前記ピッチ角及び前記ロール角の少なくとも一つは、１１．２５°である、請求項４６に記載の滑走機構。
【請求項５０】
前記ピッチ角及び前記ロール角のそれぞれは、１５°と１８°との間である、請求項４６に記載の滑走機構。
【請求項５１】
前記ロール角は１１．２５°であり、前記ピッチ角は２２．５°である、請求項４６に記載の滑走機構。